(57)【特許請求の範囲】
【請求項１】
複数の番組データをデジタル方式を用いて送信する放送者側の送信システムと、
前記送信システムから送信される番組データを受信して表示させる複数の利用者側の受信システムと
から成る放送システムにおいて、
受信システム毎に受信ＩＤを設定し、
放送する番組データの種類と放送する時間帯とを有するスケジュール制御データを受信システム毎に作成し、これらのスケジュール制御データに受信すべき受信システムの受信ＩＤを組み込んで送信し、
各受信システムが、対応する受信ＩＤを有するスケジュール制御データを受信して記憶し、受信したスケジュール制御データに基づいて、放送すべき番組データを受信して記憶し、スケジュール制御データに基づいて受信システムの表示装置の電源のＯＮ／ＯＦＦを制御すると共に、スケジュール制御データに従って所望の時間帯に、記憶した所望の番組データを再生して表示装置に表示させる
ことを特徴とする放送方法。
【請求項２】
番組データが音声及び画像から成る
ことを特徴とする請求項１に記載の放送方法。
【請求項３】
番組データがテキストデータから成り、
前記テキストデータが文字情報として単独で又は所望の音声及び画像データと合成されて表示装置で表示される
ことを特徴とする請求項１に記載の放送方法。
【請求項４】
前記スケジュール制御データが、受信システムに記憶された以前のスケジュール制御データ及び／又は番組データの削除に関する制御コードを含む
ことを特徴とする請求項１〜３の何れか一項に記載の番組の放送方法。
【発明の詳細な説明】
【技術分野】
【０００１】
本発明は、利用者側に設置された受信装置を介して個々のテレビや録画再生装置等の端末手段を制御する番組の放送方法に関する。
【背景技術】
【０００２】
アナログ方式のテレビジョン放送終了に伴って空く周波数帯域（VHF／UHF帯）を用いて、不特定多数を対象にしたオープンなテレビジョン放送以外の放送を行うことが検討されている。
不特定多数を対象としたテレビジョン放送に関しては、従来から様々な技術が提案されている（特許文献１〜３参照）。
【先行技術文献】
【特許文献】
【０００３】
【特許文献１】特開2000-83004号公報
【特許文献２】特開2000-101866号公報
【特許文献３】特開2002-247491号公報
【発明の概要】
【発明が解決しようとする課題】
【０００４】
不特定多数を対象にしたオープンなテレビジョン放送以外の放送としては、例えば、広告等の番組の放送が考えられる。
それらの番組を放送するためには、番組を放送する放送者側の送信装置と、番組を受信する利用者側の受信装置に接続されたテレビ等の表示機器が正確に連動する必要がある。
具体的には、送信者側が、ある受信装置Ａに対してある番組ａを、ある時間帯Ｘ〜Ｙに放送する場合、当然のことながら受信装置Ａに接続されたテレビやモニター等の端末装置は、番組ａが始まる時間Ｘには電源が入っている必要があり、好ましくは、番組ａが終了する時間Ｙに電源が切られる。
しかし、特定の時間に端末装置の電源のＯＮ／ＯＦＦを行わせるという面倒な作業を受信装置の管理者に強いるのは酷であり、また、このような不便さがあると番組の利用が減るという問題もある。
本発明は、利用者側に設置された受信システムに面倒な作業を強いることなく、かつ、番組の制御を行える特徴をもつ番組の放送方法を提供することを目的としている。
【課題を解決するための手段】
【０００５】
上記した目的を達成するために、本発明に係る番組の放送方法は、複数の番組データをデジタル方式を用いて送信する放送者側の送信システムと、前記送信システムから送信される番組データを受信して表示させる複数の利用者側の受信システムとから成る放送システムにおいて、受信システム毎に受信ＩＤを設定し、放送する番組データの種類と放送する時間帯とを有するスケジュール制御データを受信システム毎に作成し、これらのスケジュール制御データに受信すべき受信システムの受信ＩＤを組み込んで送信し、各受信システムが、対応する受信ＩＤを有するスケジュール制御データを受信して記憶し、受信したスケジュール制御データに基づいて、放送すべき番組データを受信して記憶し、スケジュール制御データに基づいて受信システムの表示装置の電源のＯＮ／ＯＦＦを制御すると共に、スケジュール制御データに従って所望の時間帯に、記憶した所望の番組データを再生して表示装置に表示させることを特徴とする。
【発明の効果】
【０００６】
本発明に係る番組の放送方法は、複数の番組データをデジタル方式を用いて送信する放送者側の送信システムと、前記送信システムから送信される番組データを受信して表示させる複数の利用者側の受信システムとから成る放送システムにおいて、受信システム毎に受信ＩＤを設定し、放送する番組データの種類と放送する時間帯とを有するスケジュール制御データを受信システム毎に作成し、これらのスケジュール制御データに受信すべき受信システムの受信ＩＤを組み込んで送信し、各受信システムが、対応する受信ＩＤを有するスケジュール制御データを受信して記憶し、受信したスケジュール制御データに基づいて、放送すべき番組データを受信して記憶し、スケジュール制御データに基づいて受信システムの表示装置の電源のＯＮ／ＯＦＦを制御すると共に、スケジュール制御データに従って所望の時間帯に、記憶した所望の番組データを再生して表示装置に表示させるので、利用者に余計な負担をかけえることなく目的の番組を利用者側の受信装置に接続された表示装置で確実に再生することが可能になる。具体的には、例えば、受信システムが利用者の店舗に設置されているような場合、深夜にスケジュール制御データ及び必要な番組データを予め記憶しておき、スケジュール制御データに従って、店舗の開店と同時に表示装置の電源を自動的にＯＮにし、その後、店舗の閉店までの間、所望の広告番組を所望の時間帯に表示装置で再生し、店舗の閉店と同時に表示装置の電源をＯＦＦにするような一連の動作を全て自動的に行うことが可能になる。
【図面の簡単な説明】
【０００７】
【図１】本発明に係る放送方法を実行する放送システムの概略ブロック図である。
【図２】受信システムの構成を示す概略ブロック図である。
【図３】（ａ）及び（ｂ）は、スケジュール制御データの具体例を示している。
【発明を実施するための最良の形態】
【０００８】
以下、添付図面に示した一実施例を参照しながら本発明に係る番組の放送方法の一実施例を説明していく。
図１は本発明に係る放送方法を実行する放送システムの概略ブロック図である。
図中、符号１は放送者側の送信システムを示しており、符号１０は利用者側の受信システムを示している。
送信システム１は、番組データを作成する番組データ作成部２と、放送する番組データの種類と放送する時間帯とを有するスケジュール制御データを作成するスケジュール制御データ作成部３と、これらのデータをデジタル方式で送信する送信部４とを有する。
番組データ作成部２は番組データを作成する。番組データは、例えば、コマーシャル番組、教育番組、店頭用販促番組又は情報番組等の任意の番組であり得、その形態は、画像、音声又は文字、若しくはこれらの任意の組合せから成る。各番組データには、番組ＩＤが付与される。
スケジュール制御データ作成部３は、放送する番組データの種類（番組ＩＤ）と放送する時間帯（年・月・日・時間・秒）とを含むスケジュール制御データを、利用者の受信システム毎に作成する。予め各受信システム１０には、受信システム毎に固有の受信ＩＤが付与されており、各スケジュール制御データには、対応する受信システムの受信ＩＤが付与される。また、このスケジュール制御データは、受信システムの表示装置の電源のＯＮ／ＯＦＦを制御する制御コードを有し、例えば、受信システムが店舗の設置されている場合には表示装置を店舗の開店と同時にＯＮにし、閉店後に表示装置の電源をＯＦＦにしたり、受信した番組の放送開始時間に表示装置の電源をＯＮにし、放送終了後に表示装置の電源をＯＦＦにしたりすることができるようにされている。
【０００９】
図２は、受信システム１０の概略ブロック図である。
受信システム１０は、
送信システム１から送信されるスケジュール制御データ及び番組データを受信する受信装置１１と、
受信したスケジュール制御データに基づいて受信システム１０における表示装置等の動作を制御する制御装置１２、
受信したスケジュール制御データに、必要に応じて新たな制御コードを手動で入力してスケジュール制御データをオーバーライドする入力装置１３、
受信した番組データを記録及び再生するための記録再生装置１４、
録画済の番組データに別の番組データを混合又は合成するミキサ装置１５及び
スケジュール制御データに従って再生される記録再生装置１４を表示する表示装置１６
を備えている。
各受信システム１０には、受信ＩＤが付与されており、受信装置１１は、自分の受信ＩＤを含むスケジュール制御データを受信する。
制御装置１２は、受信したスケジュール制御データに基づいて、記録再生装置１４、ミキサ装置１５及び表示装置１６の動作を制御する。
【００１０】
スケジュール制御データの例を図３に示す。
図３（ａ）のスケジュール制御データは、受信ＩＤが「１０００００１」であるので、受信ＩＤ「１０００００１」が付与された受信システム１０のみがこのスケジュール制御データを受信する。
このスケジュール制御データは、2007年10月10日の08：00；15に表示装置１６の電源をＯＮにし、その後、08時00分30秒に番組ＩＤ「０００−０００−００１０」が付与された番組を３０秒間表示装置１６に表示させ、次に、08時01分00秒に番組ＩＤ「０１０−１１１−０９００」が付与された番組を６０秒間表示させ、その後、幾つかの番組を表示させた後、27時00分00秒に表示装置１６の電源をＯＦＦにするものである。
受信システム１０は、スケジュール制御データを、少なくともスケジュールの実行時間より前に受信する。好ましくは、スケジュールの実行日の前日以前に受信しておく。
制御装置１２は、受信したスケジュール制御データに含まれている番組ＩＤに基づいて、送信システム１から送信される複数の番組データの中から対応する番組データを受信して、記録再生装置１４に記憶させて蓄積しておき、スケジュール実行日に、表示装置１６の電源をＯＮにすると共に、スケジュール制御データに従って、記録再生装置１４に所望の番組データを所望の時間帯に再生させて表示装置１６に表示させる。
尚、送信システム１から送信される番組データには、様々な形態のデータがあり、スケジュール制御データには、番組データの形態に応じた番組データの処理に関する制御コードが含まれ得る。
具体的には、番組データが音声及び画像から成るデータの場合には、単に、番組データを録画再生すればよいが、番組データが音声のみから成る場合には、記録再生装置１４に予め蓄積された任意の画像データのバックグラウンドで音声が再生されるようにミキサ装置１５で音声と画像とを合成するための制御コードがスケジュール制御データに含まれ得る。ここで、「画像」とは、動画は勿論、静止画も含まれる。
別の例としては、番組データが文字のみから成る場合には、予め、記録再生装置１４に蓄積された任意の画像データに重ねて文字を表示するようにミキサ装置１５で文字と画像とを合成するための制御コードがスケジュール制御データに含まれ得る。
【００１１】
図３（ｂ）のスケジュール制御データは、受信ＩＤが「２００２３４１」であるので、受信ＩＤ「２００２３４１」が付与された受信システム１０のみがこのスケジュール制御データを受信する。
このスケジュール制御データは、2007年10月31日の10時00分15秒に表示装置１６の電源をＯＮにし、その後、10時00分30秒に番組ＩＤ「０００−０２０−００１０」が付与された番組を２４０秒間表示装置１６に表示させ、次に、10時04分30秒に番組ＩＤ「１１１−１１１−１０００」が付与された番組を６０秒間表示させ、その後、幾つかの番組を表示させた後、19時00分00秒に表示装置１６の電源をＯＦＦにするものである。
【００１２】
以上説明した本発明に係る放送方法によれば、送信システムから送信される受信システム毎に作成されたスケジュール制御データを受信システムが受信して、所望の時間に自動的に表示装置の電源をＯＮにし、作成されたスケジュールに従って自動的に番組を表示させ、所望の時間に自動的に表示装置の電源をＯＦＦにするので、利用者に余計な負担をかけえることなく目的の番組を利用者側の受信システムで確実に再生することが可能になる。
【００１３】
また、上記したスケジュール制御データには、必要に応じて、記録再生装置１４に蓄積された番組データを削除する制御コードを含めることができる。具体的には、例えば、記録再生装置１４の記憶容量が所定の容量以下になった場合等に、今後再生する予定のない番組データを自動的に削除する制御コード等が含まれ得る。
また、受信システムは、毎日所定の時間にスケジュール制御データを取得するように構成してもよいが、例えば、１週間分のスケジュール制御データをまとめて取得するように構成してもよく、また、利用者が更新をかける度に新しいスケジュール制御データを取得するように構成してもよい。
さらにまた、受信システムは、毎日、異なるスケジュール制御データに基づいて制御されるように構成してもよいが、例えば、所定の期間は同一のスケジュール制御データに基づいて制御され、定期的に自動で又は手動で新しいスケジュール制御データを取得するように構成してもよい。
【符号の説明】
【００１４】
１  送信システム
２  番組データ作成部
３  スケジュール制御データ作成部
４  送信部
１０  受信システム
１１  受信装置
１２  制御装置
１３  入力装置
１４  記録再生装置
１５  ミキサ装置
１６  表示装置
【図１】
0005930515.tif 000002
【図２】
0005930515.tif 000003
【図３】
0005930515.tif 000004